(57)【要約】      （修正有）【課題】重い分銅を把持する際にも、分銅把持具を強く押さえる必要がなく、分銅を移動させる際にも安定して把持され、分銅把持操作が容易な分銅把持具を提供する。【解決手段】円柱形をした支持部材１と、内側に空洞のある半円筒形をし且つ弾性を有する一対の挟持部材２とからなり、一対の挟持部材の間に支持部材が挟まれ且つ挟持部材の半円筒形空洞部に支持部材が嵌め合わされるようにして、支持部材と挟持部材の近位端部とが連結され、該連結部３を支点にして挟持部材の両遠位端間が弾性変形で広がるようになっており、挟持部材の遠位端の半円筒形空洞部の内周面には、内側に向かって突出し且つ円筒の軸に対して直角方向に伸展した突起６がそれぞれ形成されていて、挟持部材の遠位端間を狭めたときに該突起６が分銅のネック部に嵌り込み、分銅を挟持することができる分銅把持具。【選択図】図２
2011240414.tif 000002
【特許請求の範囲】
【請求項１】
円柱形をした支持部材と、
内側に空洞のある半円筒形をし且つ弾性を有する一対の挟持部材とからなり、
一対の挟持部材の間に支持部材が挟まれ且つ挟持部材の半円筒形空洞部に支持部材が嵌め合わされるようにして、支持部材と挟持部材の近位端部とが連結され、
該連結部を支点にして挟持部材の両遠位端間が弾性変形で広がるようになっており、
挟持部材の遠位端の半円筒形空洞部の内周面には、内側に向かって突出し且つ円筒の軸に対して直角方向に伸展した突起がそれぞれ形成されていて、挟持部材の遠位端間を狭めたときに該突起が分銅のネック部に嵌り込み、分銅を挟持することができる分銅把持具。
【発明の詳細な説明】
【技術分野】
【０００１】
本発明は、分銅把持具に関する。より具体的に、本発明は、重量の大きい分銅を簡単に、確実に把持することができる分銅把持具に関する。
【背景技術】
【０００２】
分銅は、素手で触れると油脂や汗の塩分が付着し、錆び等による質量変化の原因となるため、通常、分銅把持具で取り扱われる。分銅把持具としては、分銅に傷がつかないように木製の把持具や、先端に樹脂やゴムのカバーがついた金属製の把持具が使用されている。
例えば、特許文献１には、先端部がゴムでカバーされた金属製の分銅把持具が記載されている。特許文献１に記載の分銅把持具では、重い分銅を把持するために分銅把持具を強く押さえる必要がある。また、分銅のネック部をつまむ場合、分銅を把持具で略２点で保持することになり、分銅を移動させる際に極めて不安定である。
また、特許文献２には、先端に係止凹部を有する係止部材と、一端に前記係止部材に嵌合している連結部を有し、該連結部にヒンジ部を介して可動片部を一体に一対連設し、前記可動片部に切り欠きを設けた可動部材を有し、前記係止部材上の前記両可動片部の間にストッパを設けた把持具が記載されている。
【先行技術文献】
【特許文献】
【０００３】
【特許文献１】特開２０１０−５７５３号公報
【特許文献２】特開２００８−１８８７０４号公報
【発明の概要】
【発明が解決しようとする課題】
【０００４】
本発明は、重い分銅を把持する際にも、分銅把持具を強く押さえる必要がなく、分銅を移動させる際にも安定して把持され、分銅把持操作が容易な、分銅把持具を提供することにある。
【課題を解決するための手段】
【０００５】
本発明者は、上記目的を達成するために検討した結果、円柱形をした支持部材と、内側に空洞のある半円筒形をし且つ弾性を有する一対の挟持部材とからなり、一対の挟持部材の間に支持部材が挟まれ且つ挟持部材の半円筒形空洞部に支持部材が嵌め合わされるようにして、支持部材と挟持部材の近位端部とが連結され、該連結部を支点にして挟持部材の両遠位端間が弾性変形で開くようになっており、挟持部材の遠位端の半円筒形空洞部の内周面には、内側に向かって突出し且つ円筒の軸に対して直角方向に伸展した突起がそれぞれ形成されていて、挟持部材の遠位端間を狭めたときに該突起が分銅のネック部に嵌り込み、分銅を挟持することができる分銅把持具は、分銅を安定して把持でき、分銅把持操作が容易であることを見出した。本発明をこの知見に基づいて完成するに至った。
【０００６】
すなわち、本発明は、上記目的を達成するために、下記の解決手段を採用する。
本発明の分銅把持具は、支持部材と挟持部材とからなる。
本発明に用いられる支持部材は、円柱形をしてなる。支持部材の内側は、空洞であってもよいし、中実であってもよい。軽量化の点で、空洞であることが好ましい。支持部材の材料は特に限定されない。例えば、鋼材、鋼材にニッケルメッキ等を施したもの、黄銅、ステンレス鋼、ニッケル、塩化ビニール樹脂、ポリプロピレン樹脂、ポリアセタール樹脂、フッ素樹脂などが挙げられる。中でも、耐薬品性等に優れている点で、塩化ビニール樹脂、ポリプロピレン樹脂、ポリアセタール樹脂、フッ素樹脂などが好ましい。
【０００７】
本発明に用いられる挟持部材は、内側に空洞のある半円筒形をし且つ弾性を有する一対の部材からなる。また、挟持部材の遠位端の半円筒形空洞部の内周面には突起がそれぞれ形成されている。
【０００８】
一対の挟持部材の間に支持部材が挟まれ且つ挟持部材の半円筒形空洞部に支持部材が嵌め合わされるようにして、支持部材と挟持部材の近位端部とが連結され、連結部を支点にして挟持部材の両遠位端間が弾性変形で広がるようになっている。挟持部材の連結部および半円筒形空洞部の内径は、挟持部材の半円筒形空洞部に支持部材が嵌め合わさることができれば特に限定されず、支持部材の外径と略等しくてもよいし、支持部材の外径より小さくてもよい。
挟持部材の連結部の内径が、支持部材の外径と略等しい場合には、挟持部材と支持部材との連結を、接着、融着、又は螺子などの接続具によって行うことができる。
挟持部材の連結部の内径が、支持部材の外径より小さい場合には、例えば、挟持部材を加熱し、膨張させ、支持部材を嵌め合わせた後に、冷却することによって連結することができる。連結の確実性、容易性、挟持部材の半円筒形空洞部を閉じた際の分銅把持具の剛性の点で、挟持部材の連結部および半円筒形空洞部の内径が、支持部材の外径より小さいことが好ましい。
【０００９】
挟持部材の材料は弾性を有するものであれば特に限定されない。例えば、鋼材、鋼材にニッケルメッキ等を施したもの、黄銅、ステンレス鋼、ニッケル、塩化ビニール樹脂、ポリプロピレン樹脂、ポリアセタール樹脂、フッ素樹脂などが挙げられる。中でも、弾性、耐薬品性等に優れている点で、塩化ビニール樹脂、ポリプロピレン樹脂、ポリアセタール樹脂、フッ素樹脂が好ましく、前記加熱膨張による支持部材への嵌め合わせが容易な点で、ポリプロピレン樹脂がより好ましい。
【００１０】
挟持部材の遠位端の半円筒形空洞部の内周面には、内側に向かって突出し且つ円筒の軸に対して直角方向に伸展した突起がそれぞれ形成されている。突起は、挟持部材の遠位端の半円筒形空洞部の内周面に一体成形されていてもよいし、突起を形成する部材を別途用意しそれを内周面に設置してもよい。この突起によって分銅のネック部を面または多点で保持することができ、重い分銅を把持する際にも、分銅把持具を強く押さえる必要がなく、分銅を移動させる際にも安定して把持され、分銅把持操作が容易である。
突起部分の材料は特に限定されない。例えば、塩化ビニール樹脂、ポリプロピレン樹脂、ポリアセタール樹脂、フッ素樹脂などの樹脂、ゴムが挙げられる。中でも、分銅を汚染せず、分銅に体温を伝えず、磁気や静電気を帯びない点で、フッ素樹脂が好ましい。
【発明の効果】
【００１１】
本発明の分銅把持具は、重い分銅を把持する際にも、分銅把持具を強く押さえる必要がなく、分銅を移動させる際にも安定して把持され、分銅把持操作が容易である。
【図面の簡単な説明】
【００１２】
【図１】本発明の分銅把持具の一実施形態の概要を示す部品展開図である。
【図２】本発明の分銅把持具の一実施形態の概要を示す図である。
【図３】本発明の分銅把持具で分銅を摘む操作を説明する図である。
【発明を実施するための形態】
【００１３】
本発明の好適な実施の形態について、図面に基づいて詳細に説明する。
図１は本発明の分銅把持具の一実施形態の概要を示す部品展開図である。
図１中の（ａ１）は支持部材の正面図、（ａ２）は支持部材の右側面図である。正面図において、左が近位端であり、右が遠位端である。図１中の（ｂ１）は挟持部材の正面図、（ｂ２）は挟持部材の右側面図である。図１中の（ｃ１）は突起部材の正面図、（ｃ２）は突起部材の右側面図である。
図２は、本発明の分銅把持具の一実施形態の概要を示す図である。図２中の（ｄ１）は分銅把持具を開いた状態の正面図、（ｄ２）は同右側面図である。
図２中の（ｅ１）は分銅把持具を閉じた状態の正面図、（ｅ２）は同右側面図である。
【００１４】
本実施形態における支持部材１は、ポリプロピレン樹脂製の円筒体によって構成されている。本実施形態における挟持部材２は、ポリプロピレン樹脂製の円筒体を半円筒形状となるように遠位端から近位端に向かって切り開き、内側に空洞を有する半円筒形状をした部分を一対形成させてなるものである。ポリプロピレン樹脂製の円筒体の近位端部は切り開かずに円筒体をそのまま残し、連結部３としている。挟持部材の開閉がスムーズになるように且つ連結部の裂けを止めるために、切開の最終部にリップストップ４が形成されている。本実施形態ではリップストップ４は三角形状を成しているがこれに限定されず、台形、円形、梨形などを成していてもよい。挟持部材２は連結部３を支点にして挟持部材の両遠位端間が弾性変形で広がるようになっている。
本実施形態では支持部材１の外径が挟持部材２の内径よりも大きくなっている。支持部材１と挟持部材２とは、挟持部材２の近位端部（連結部３）を加熱膨張させて内径を支持部材１の近位端部の外径より大きくした後、支持部材１の近位端部と挟持部材２の近位端部（連結部３）とで嵌め合わせ、次いで冷却して連結される。冷却すると挟持部材の近位端部が縮まり内径が小さくなる。その結果、リップストップ４の切り欠けの間に支持部材が入り込み、挟持部材を押し広げる。三角形状のリップストップ４の軸方向の長さを短くすると、言い換えれば、リップストップ４の三角形状の両辺の傾斜角度が急になると、挟持部材の開度が大きくなるので、リップストップ４の軸方向の長さを変えることによって、開度および開きの強さを適宜調整することができる。
【００１５】
本実施形態における突起部材６は半円環形状を成したフッ素樹脂製の部材である。挟持部材２の遠位端間を狭めたときに該部材の窪み５に分銅のネック部が嵌り込むようになっている。突起部材６は挟持部材の遠位端の内周面４に設置される。
【００１６】
実施形態の分銅把持具の各部材の大きさは、手に持って操作することができれば特に限定されない。例えば、本実施形態における支持部材は、長さが８０．０ｍｍ、外径が１５．０ｍｍ、内径が１３．０ｍｍの円筒体である。支持部材の近位端から１０．０ｍｍまでの範囲で挟持部材の連結部３と連結している。挟持部材は、外径が１５．０ｍｍ、内径が１３．０ｍｍ、長さが９７．０ｍｍの円筒体を切り開くことによって製造されている。リップストップ４から挟持部材の遠位端までの長さは８７．０ｍｍである。リップストップ４は、底辺が１０．０ｍｍ、高さ（軸方向長さ）が１４．０ｍｍの角が丸められた三角形状の切り欠けを有する。突起部材は、外径が１５．０ｍｍ、内径が１３．０ｍｍ、厚さが３．０ｍｍの半円環体である。挟持部材の遠位端の内側空洞は、突起部材により押し広げられていて、挟持部材を閉じたときに、挟持部材の内側空洞に支持部材が嵌りやすいようになっている。
【００１７】
図２（ｄ１）に示すように、分銅把持具は、連結部３を支点にして挟持部材２の両遠位端間が弾性変形で開くようになっている。そして、図２（ｅ１）に示すように、挟持部材２を指などで挟むことで閉じることができる。図２（ｅ１）の状態では、支持部材の外周面と挟持部材の内周面とが重なり合い、分銅を保持するのに十分な剛性が得られる。
図３は、挟持部材の遠位端間を狭めたときに突起が分銅８のネック部７に嵌り込み、分銅を挟持している状態を示す図である。この状態では、分銅のネック部の外周全体を突起で固定しているので分銅を安定して把持でき、分銅把持操作も容易である。
【符号の説明】
【００１８】
１・・支持部材
２・・挟持部材
３・・連結部
４・・リップストップ
６・・突起部材
８・・分銅
７・・ネック部
【図１】
2011240414.tif 000003
【図２】
2011240414.tif 000004
【図３】
2011240414.tif 000005